(57)【要約】【課題】  ケース入れ操作の前にムーブメントの輸送の間に、特に時間ホイールをモーション・ワーク・ピニオンとのかみ合いを維持することを可能にする、時計ムーブメントを提供する。【解決手段】  本考案は、時計ムーブメントの構造、特に時間ホイール（１）の構造に関し、そのパイプ（４）の内側は、キャノン・ピニオン（７）のパイプ（２１）の外壁に配置された環状溝（２２）を協働する環状突出部（６）を含む。したがって、時間ホイールは、この目的のために追加の部品を備える必要なしに、ムーブメント上にスナップ係合され、したがって、その歯つきホイール（３）は、ムーブメントの輸送中モーション・ワーク・ピニオン（１９）から外れることができない。【選択図】      図３
0003120628.tif 000002
【実用新案登録請求の範囲】
【請求項１】
プレート（９）と、針を有する表示装置と、前記針に駆動手段を接続させるギア列とを含む時計ムーブメントであって、
前記ギア列には、前記駆動手段と少なくとも間接的にかみ合う駆動ホイール（１５）と、ギア列バー（８）内に取り付けられたポスト（１８）を中心に回転するキャノン・ピニオン（７）と、前記キャノン・ピニオン（７）を中心にして、前記プレート（９）の一方の側で回転する時間ホイール（１）とが含まれ、
前記駆動ホイール（１５）は、前記プレート（９）の他方の側において、前記キャノン・ピニオン（７）にそれとともに回転するよう固定されており、
前記プレート（９）には、前記キャノン・ピニオン（７）を回転自在に貫通させて支持する孔を囲んでいる環状ショルダ（２３）が設けられ、その環状ショルダ（２３）は円筒状外周部を有して時間ホイール（１）の径方向ガイドとして作用し、前記時間ホイール（１）が、前記キャノン・ピニオン（７）によるガイドの必要なく、前記キャノン・ピニオン（７）に触れることなく、前記プレート（９）上で回転できるように構成されており、
前記時間ホイール（１）および前記キャノン・ピニオン（７）には、前記時間ホイール（１）を、前記キャノン・ピニオン（７）上にその軸方向について保持するための相補的な保持手段（６、２２）が含まれている
ことを特徴とする時計ムーブメント。
【請求項２】
前記保持手段（６、２２）は、スナップ係合タイプであることを特徴とする請求項１に記載の時計ムーブメント。
【請求項３】
前記保持手段が、相補的な環状突出部（６）と溝（２２）を含み、それらの一方が前記キャノン・ピニオン（７）に配置され、他方が前記時間ホイール（１）に配置されることを特徴とする請求項２に記載の時計ムーブメント。
【請求項４】
前記環状突出部（６）と前記溝（２２）が、前記時間ホイール（１）と前記キャノン・ピニオン（７）にそれぞれ配置されることを特徴とする請求項３に記載の時計ムーブメント。
【請求項５】
前記環状突出部（６）が、前記時間ホイール（１）の材料の厚み増加で作成されることを特徴とする請求項３または４に記載の時計ムーブメント。
【請求項６】
前記時間ホイール（１）が、プラスチック材料で作成されることを特徴とする請求項１〜５のいずれか一項に記載の時計ムーブメント。
【請求項７】
さらに秒ホイール・セット（１１）を含み、前記ポストが、前記秒ホイール・セット（１１）のアーバ（１８）であることを特徴とする請求項１〜６のいずれか一項に記載の時計ムーブメント。
【考案の詳細な説明】
【技術分野】
【０００１】
本考案は、プレートと、針を有する表示装置と、駆動手段を針に接続するギア列とを含む時計ムーブメントに関する。ギア列は、駆動手段と少なくとも間接的にかみ合い、ギア列バー内に取り付けられたポストで回転するキャノン・ピニオン（筒かな）に固定された駆動ホイールと、キャノン・ピニオンの周りに配置され、プレート上に載る時間ホイールとを含み、駆動ホイールおよび時間ホイールは、前記プレートの両側にそれぞれ配置されている。
【背景技術】
【０００２】
このタイプの時計ムーブメントは、通常のものであり、長年知られている。しかしながら、従来技術のムーブメントは、本考案が解決できるある欠点を有することに留意すべきである。
【０００３】
図１は、従来技術に開示されるような中心に秒を有するムーブメントの一部を概略的に示す。図１は、時間表示ホイール・セットの相対位置を示す。特に、石１０２内で回転されるように取り付けられる秒ホイール・セット１０１が示されている。秒ホイールは自身がギア列バー内で駆動される。秒ホイール・セットのアーバ１０４が中央パイプ１０５内に配置され、その中央パイプ１０５はプレート１０６を介して駆動される。秒アーバ１０４は、その中間部に、直径が中央パイプ１０５の内径とほぼ等しい環状の隆起した部分１０７を含む。したがって、中央パイプ１０５は、秒アーバ１０４のための径方向ガイドの機能を果たす。キャノン・ピニオン１０８は、中央パイプ１０５に回転可能に取り付けられ、キャノン・ピニオン１０８のベースはプレート１０６の上に載る。中央パイプ１０５は、キャノン・ピニオン１０８のための径方向ガイドの機能を果たすことに留意されたい。キャノン・ピニオン１０８のピニオンは、時間ホイール１１２とかみ合うモーション・ワーク・ピニオン１１１に固定されたモーション・ワーク・ホイール１１０とかみ合う。時間ホイール１１２は、したがってその径方向ガイドとして作用するキャノン・ピニオン１０８に回転可能に取り付けられる。
【０００４】
このタイプのムーブメントの第１の欠点は図１から明らかであり、時計ムーブメント製造業者に関する。特に、選択した時計ケース内にムーブメントを入れるクライアントに、時計ムーブメント製造業者がそのようなムーブメントを供給するときである。実際、従来の方法では、全てのムーブメント・ギア列が、プレートとバーとの間に入れられるが、時間ホイールは、プレート上に、したがってムーブメントの外側に配置される。さらに、時間ホイールはキャノン・ピニオンの周りを自由に回転しなければならないので、一般的にキャノン・ピニオンの周りを単に滑るだけである。したがって軸方向に自由である。その結果、時間ホイールは、ムーブメント製造業者からクライアントへ輸送される間、モーション・ワーク・ピニオンにかみ合わなくなることがある。より詳細には、時計アセンブリ・プロセスの間、文字盤は一般にムーブメントの上に押しつけられる。このステップの間、時間ホイールが、モーション・ワーク・ピニオンと適切にかみ合わないなら、時間ホイールの歯は、モーション・ワーク・ピニオンに対する圧力のために変形される。安価なムーブメントの場合、時間ホイールはときにはプラスチック材料で作られ、時間ホイールの歯がモーション・ワーク・ピニオンの歯と適切にかみ合わないなら、時間ホイールの歯は破壊される恐れがある。クライアントが、ムーブメントへの損傷に続く、時計のあらゆる故障の危険性を回避することを望むなら、文字盤を所定の場所に設定する前に、クライアントは時間ホイールが適切に配置されることを自動的または手動で検査しなければならない。この避けられない検査ステップは、期間の増加および完成した製品の製造コスの増加を含む。
【０００５】
同様に、時間ホイールはキャノン・ピニオンから完全に自由であり、ケース入れステーションへムーブメントを輸送する間に失われ、これがまた追加の製造コストを含む。
【０００６】
この問題を解消するための従来技術の知られている解決方法は、時間ホイールが所定の場所に設置された後、時間ホイールを軸方向に固定するように、キャノン・ピニオン・パイプにワッシャを追加することである。しかしながら、この解決方法は、追加部品、一般的にはワッシャの製造、およびそのワッシャを取り付けるために、ムーブメント・アセンブリ・プロセスにおける追加ステップの実施を必要とする欠点を有する。
【０００７】
図１に示されるような従来技術のムーブメントの他の欠点は、ムーブメントを形成する様々な部品の作成について考慮すべき製造許容差に関する。より詳細には、秒ホイール・セット１０１、中央パイプ１０５、キャノン・ピニオン１０８、および時間ホイール１１２の直径寸法に関する許容差は非常に重要である。実際、これらの異なる部品は、互いに対して双方とも自由に回転され、また互いのための径方向ガイドとして作用しなければならない。そのような構造の欠点は、製造業者に受け入れられる許容差に直接関連した、部品の径方向寸法に関する不確実性が、続く部品に存在する径方向不確実性に追加され、また次も同様であるという事実による。全体的に、全てのこれら不確実性の合計は、例えば、時間針のアーバの大きな径方向間隙のために、完成した製品を平凡な製造品質にすることがある。
【０００８】
この問題を解消できる明らかな解決方法は、ムーブメント部品に関する受容できる製造許容差を低減することにあり、径方向不確実性を制限し、したがって時間針アーバの最終な間隙を制限する結果となる。しかしながら、わずかであっても許容差を制限することは、製造コストを著しく増加させ、安価なムーブメントの製造業者には適していない。
【考案の開示】
【考案が解決しようとする課題】
【０００９】
本考案の主目的は、したがって、ケース入れ操作の前のムーブメントの輸送の間に、時間ホイールをモーション・ワーク・ピニオンとかみ合わせたままとさせる時計ムーブメントを提供することによって、上述した従来技術の欠点を解消することである。
【００１０】
本考案の他の目的は、低コスト価格で許容できる製造品質の時計ムーブメントを提供することによって、前述した従来技術の許容差に関する欠点を解消することである。
【課題を解決するための手段】
【００１１】
したがって、本考案は、上述のタイプの時計ムーブメントに関し、時間ホイールおよびキャノン・ピニオンが、それぞれキャノン・ピニオンに軸方向に時間ホイールを保持するための相補的手段を含むことを特徴とする。
【００１２】
本考案による構成は、輸送ステップの間に時間ホイールがキャノン・ピニオンが自由になることを防ぎ、および文字盤が所定の場所に設置されたとき、損失または損傷されることを防ぎ、一方前述した検査ステップを省略できる。
【００１３】
本考案の追加の利点は、キャノン・ピニオン・パイプに時間ホイールを保持する手段が、これら２つの要素の一体部分を形成している事実から生じる。したがって、保持手段の製造は、ムーブメント製造プロセスなどの追加ステップの実施を必要としない。
【００１４】
本考案の特定の実施態様によれば、保持手段はスナップ係合タイプである。保持手段は、例えばそれぞれ時間ホイールのパイプおよびキャノン・ピニオン・パイプに配置された、特に相補的な突出部と溝を含むことができる。
【００１５】
本考案の追加の利点は、前記突出部が、時間ホイール・パイプの厚みを増加させることから作られ、その厚み増加が、時間針がその後打ち込まれる場所にほぼ配置されることにある。実際、針を打ち込むことによって、長時間にわたって増加する可能性があるその支持体へ材料の塑性流動を一般に引き起こす。この現象は、針とその支持体との間に間隙を生成することがあり、針をその支持体から引き離させることさえある。本考案による時間ホイール・パイプの構造によって、特に前記した厚み増加によって、管上の材料の塑性流動は制限され、時間針は長時間にわたって確実に保持される。
【００１６】
許容差に関して本考案は、前述のタイプの時計ムーブメントに関し、中央パイプを含まず、時間ホイールのための径方向ガイドとして作用する環状ショルダを備えることを特徴とする。したがって、従来技術のムーブメントの全体的な径方向不確実性に対して、全体的な径方向不確実性が非常に低減され、したがってその伴う不確実性は省略される。特に、少なくとも数十万から数百万のバッチで安価なムーブメントが製造されるとき、ムーブメントから１つの部品を省略する単純な事実の経済的な重要性をここで思い起こすべきである。
【００１７】
さらに、キャノン・ピニオンが時間ホイールのための径方向ガイドの機能をもはや果たさないので、様々な上述した不確実性は部分的に無関係になる。その結果、時間ホイールに関して存在する径方向の遊びが、秒ホイール・セットおよびキャノン・ピニオンの製造に固有の径方向不確実性に決して依存しない。したがって、時間針のアーバの径方向遊びが適切に制御され、秒ホイール・セットおよびキャノン・ピニオンに関して存在する径方向不確実性とは無関係である。
【考案を実施するための最良の形態】
【００１８】
本考案は、添付の図面を参照して、例示的実施形態の以下の説明によってより良く理解されるだろう。
【００１９】
図２に示されるように、時間ホイール１は従来の構造を有している。３つの径方向延長部２が歯付きホイール３をキャノン４に接続する。図２に示される特定の実施形態では、実質的に円弧の形状の３つのアーム５が、径方向延長部２の１つからそれぞれ延長していることに留意されたい。これらのアーム５は、時間ホイール１の相対的垂直位置を調整する機能を有し、したがって、通常この機能を確実にするために使用される金属ホイル・スプリングをキャノン・ピニオン（この図には示されていない）から省略できる。
【００２０】
図２は、また、時間ホイール１の特定の特徴、すなわちそのキャノン４の内側が環状突出部６を含むことを示す。
【００２１】
図３は、前記突出部６の利点をより良く理解させる。なぜなら、突出部が、時間ホイール１がキャノン・ピニオン７上に配置されているその作動位置で示されている。
【００２２】
この図に部分的に示される時計ムーブメントは、中央秒を有するタイプである。特に、本質的なムーブメント要素を含むケージとなっているギア列バー８およびプレート９を見ることができる。ギア列バー８は、ホイール・セットが回転するように取り付けられる石１０を担持する。特に、中央の秒ホイール・セット１１、およびモーション・ワーク・ホイール・セット１２を見ることができる。秒ホイール・セット１１は、ガンギ・ピニオン（図示せず）による中間秒ホイール１３によって駆動される。秒ピニオン１４は、第３のピニオン（図示せず）に固定された第３のホイール（図示せず）とかみ合い、第３のピニオンは、キャノン・ピニオン７に摩擦ばめされた駆動ホイール１５とかみ合う。秒ホイール・セット１１上に直接配置されたキャノン・ピニオン７は、モーション・ワーク・ホイール１６を介して、モーション・ワーク１２にその回転運動を伝達する。キャノン・ピニオン７は、秒アーバ１８に配置された２つの環状突出部１７により、秒ホイール・セット１１によって径方向に直接ガイドされる。プレート９を通して配置された開口部２０を通過するモーション・ワーク・ピニオン１９は、ケージの上部に設けられた時間ホイール１とかみ合い、モーション・ワーク・ピニオン１９が時間ホイール１にその回転運動を伝える。
【００２３】
図３は、時間ホイール１が、キャノン・ピニオン７の周りを自由に回転するように取り付けられていることを明らかに示している。時間ホイール１とキャノン・ピニオン７は、それぞれ、特に輸送中、時間ホイール１をキャノン・ピニオン７に軸方向に保持するための相補的手段を含む。前記相補的手段は、スナップ係合タイプであり、より詳しくは、キャノン・ピニオン・パイプ２１が時間ホイール１の突出部６に向かい合う、相補的形状の環状溝２２を含む。
【００２４】
さらに、プレート９の上面には、時間ホイール１のための径方向位置ガイドとして作用する環状ショルダ２３を含む。
【００２５】
時間ホイール１が、「スナップ係合」によって、すなわち材料の弾性変形によって、キャノン・ピニオン７上の所定の場所に設置される。時間ホイール１は、まず、時間ホイールの突出部６が、キャノン・ピニオン・パイプ２１の溝２２のすぐ上に配置される突出部２４に当接するまで、キャノン・ピニオン７へ滑り込ませる。この段階で、時間ホイール１へのわずかな圧力が、キャノン４を弾性変形させ、突出部６が突出部２４を通過し、溝２２内へ嵌ることができ、溝２２がプレート９上の所定の場所に時間ホイール１を設置する。その結果、時間ホイール１は、輸送中その場所から外れることはできない。キャノン・ピニオン７の所定の場所に時間ホイール１を設置するステップは、保持手段６、２２の簡易性および精巧さのために、従来のアセンブリ方法に一切変更を必要としないことに留意されたい。
【００２６】
時間ホイール１の構造における追加の詳細を説明する。前述したように、時間ホイール１のパイプ４内に配置された環状突出部６は、材料の厚み増加で形成され、単なる変形によるものではない。時間針（図示しない）が所定の場所に設置されるとき、発生する材料の塑性流動が前記厚み増加に局在化されるという重要な結果をこの特徴が有する。このアセンブリ・ステップの間、時間ホイール１が受ける変形は、したがってこの領域に限定される。さらに、針が所定の場所にあると、材料の塑性流動は、時間にわたって緩慢に続き、針と同じ場所に配置される前記厚み増加の存在によって、針の位置が、従来の時間ホイール・パイプの場合より、より良く維持されることを意味する。
【００２７】
代替の実施形態によれば、キャノン・ピニオン７に突出部６を配置し、時間ホイール１に溝２２を配置することによって、スナップ係合を反転することもできる。この代替は、前述された実施形態より利点は少ない。そのような場合、時間ホイール１のパイプ４の材料の厚み増加の存在から生じる、前述された利点が失われ、その結果、長時間にわたる時間針の適切な保持が維持できなくなる。
【００２８】
特定の実施形態によれば、モーション・ワーク・ホイール１２は、好ましくは、鋼、真鍮、またはプラスチック材料であり、一方、キャノン・ピニオン７は、鋼または真鍮で作られ、時間ホイール１は、ポリオキシメチレンまたはポリアセタールなどのプラスチック材料で作られる。材料のこれらの例は、もちろん限定されず、当業者は、同様の機能を確実することができる他の材料を使用することができる。
【００２９】
本考案による時計ムーブメントの特定の特徴に注意すべきである。そのような特徴は同様に図３に見られる。中央パイプが存在しないため、この部品に関連する径方向寸法に関する不確実性は、中央パイプを含む従来技術のムーブメントに比べて除かれることにまず留意されたい。従来技術のムーブメントと比較して１つの部品が少ないという事実は、ムーブメントのコスト価格を低下させることに寄与し、経済的な利点を構成する。この節約は２つの態様を備える。一方では、製造業者は通常より製造するために１つ部品が少なく、他方では、アセンブリ方法は１つ少ないステップを含む。
【００３０】
さらに、前述したように、時間ホイール１は、従来技術の場合にはキャノン・ピニオン７によって径方向にガイドされるのが普通であったが、本考案では、プレート９の上部に配置された環状ショルダ２３によってガイドされる。秒アーバ１８およびキャノン・ピニオン・パイプ２１はその径方向寸法に対してかなりの不確実性を持っているという事実は、図３に示される本考案による構造のために、時間ホイールの自由な回転に関して何の影響もない。この特徴は、秒アーバ１８、キャノン・ピニオン・パイプ２１、および時間ホイール１のパイプ４の径方向寸法に関して、製造業者に比較的高い許容差を与える。この技術的な利点は、また、本考案によるムーブメントのコスト価格を低減させることに寄与し、したがって安価なムーブメントを作ることを可能にする。
【００３１】
前述の記載は、本考案の好ましい実施形態に関し、特に使用される材料の特性に関して、限定するものと考えるべきでない。
【００３２】
さらに、本明細書に記載されるムーブメントは、中央秒を有するタイプであるが、本考案による構造は、もちろん、秒ホイールが中央ポストに単に置き換えられた、中央秒がないムーブメントに適合可能である。
【００３３】
本考案は、この単一の実施形態に限定されず、少なくともアナログ・タイプ表示を含む電子的または電子機械的時計に有利に適用されることができることを理解されたい。
【図面の簡単な説明】
【００３４】
【図１】従来技術に開示される中心に秒を有するムーブメントの一部を概略的に示す図である。
【図２】本考案による時間ホイールの特定の実施形態の上面図である。
【図３】図２の線ＩＩＩ−ＩＩＩに沿った時計ムーブメントの部品の断面図である。
【符号の説明】
【００３５】
１、１１２  時間ホイール
２  径方向延長部
３  歯付きホイール
４  キャノン
５  アーム
６、１７  環状突出部
７、１０８  キャノン・ピニオン
８  ギア列バー
９、１０６  プレート
１０、１０２  石
１１  中央秒ホイール・セット
１２  モーション・ワーク・ホイール・セット
１３  中間秒ホイール
１４  秒ピニオン
１５  駆動ホイール
１６  モーション・ワーク・ホイール
１８  秒アーバ
１９  モーション・ワーク・ピニオン
２０  開口部
２１  キャノン・ピニオン・パイプ
２２  環状溝
２３  環状ショルダ
２４  突出部
１０１  秒ホイール・セット
１０４  アーバ
１０５  中央パイプ
１０７  環状の隆起した部分
１１０  モーション・ワーク・ホイール
【図１】
0003120628.tif 000003
【図２】
0003120628.tif 000004
【図３】
0003120628.tif 000005